(57)【要約】【課題】プリンタのクローズなシステム内において顧客情報の取得、管理を行い、セキュリティ効果の高いＰＯＳ用プリンタ、ＰＯＳ用プリンタの制御方法およびプログラムを提供する。【解決手段】ＰＯＳ用プリンタ１は、本人確認のできるＩＤカード７を撮影するカメラ部１０と、各種のデータを記憶する記憶部２５とを有する。記憶部２５は、カメラ部１０で撮影した画像データを記憶する画像データ領域２４と、販売した商品の記録である電子ジャーナルを記憶する電子ジャーナル領域２３とを有する。画像データと販売データとは、関連するものがリンクして記憶されている。【選択図】      図４
2006048466.tif 000002
【特許請求の範囲】
【請求項１】
本人確認のできる証明書を撮影するカメラと、
前記カメラが撮影した画像データを処理する画像データ処理部と、
商品販売時に入力された販売データを処理する販売データ処理部と、
データを記憶する記憶部とを備え、
画像データ処理部が撮影された前記画像データを前記記憶部の第一の記憶領域へ記憶し、販売データ処理部が入力された前記販売データを前記記憶部の第二の記憶領域へ記憶することを特徴とするＰＯＳ用プリンタ。
【請求項２】
請求項１に記載のＰＯＳ用プリンタにおいて、
前記画像データと前記販売データとは、関連するそれぞれをリンクさせた状態で前記記憶部に記憶されることを特徴とするＰＯＳ用プリンタ。
【請求項３】
請求項１または２に記載のＰＯＳ用プリンタにおいて、
前記カメラの撮影準備操作または撮影開始操作を検出する検出部と、
前記入力された販売データに基づいて当該商品が本人確認の必要な商品であるか否かを判断する判断部と、
前記判断部により本人確認が必要な商品であると判断されると、前記カメラによる前記証明書の撮影を促す表示を指示する報知指示部と、
前記報知指示部による報知後に、前記検出部が前記撮影開始操作を検出すると、前記カメラに撮影を指示する撮影制御部とを有することを特徴とするＰＯＳ用プリンタ。
【請求項４】
請求項３に記載のＰＯＳ用プリンタにおいて、
印刷機構をさらに備え、
レシート印刷時に前記画像データがリンクしている商品に対して所定の確認マークを付与して印刷させる印刷制御部を備えたことを特徴とするＰＯＳ用プリンタ。
【請求項５】
請求項１から４のいずれか一項に記載のＰＯＳ用プリンタにおいて、
前記カメラが、バーコードを認識できるバーコードリーダであることを特徴とするＰＯＳ用プリンタ。
【請求項６】
本人確認のできる証明書をカメラで撮影するステップと、
前記カメラの画像データを画像データ処理部によって処理するステップと、
商品販売時に入力された販売データを販売データ処理部によって処理するステップと、
前記画像データおよび前記販売データとを記憶部へ記憶するために、画像データ処理部が撮影された前記画像データを前記記憶部の第一の記憶領域へ記憶し、販売データ処理部が入力された前記販売データを前記記憶部の第二の記憶領域へ記憶するステップとを有し、
関連する前記画像データと前記販売データとをリンクさせて記憶することを特徴とするＰＯＳ用プリンタの制御方法。
【請求項７】
請求項６に記載のＰＯＳ用プリンタの制御方法において、
前記撮影するステップは、
前記カメラの撮影準備操作または撮影開始操作を検出部によって検出するステップと、
前記入力された販売データに基づいて当該商品が本人確認の必要な商品であるか否かを判断部によって判断するステップと、
前記判断部により本人確認が必要な商品であると判断されると、前記カメラによる前記証明書の撮影を促す表示を報知指示部によって指示するステップと、
前記報知指示部による報知後に、前記検出部が前記撮影開始操作を検出すると、前記カメラに撮影の実施を撮影制御部によって指示するステップとを有することを特徴とするＰＯＳ用プリンタの制御方法。
【請求項８】
請求項６あるいは７に記載のＰＯＳ用プリンタの制御方法において、
印刷機構によって印刷する印刷ステップをさらに有し、
前記印刷ステップでは、レシートの印刷時に前記画像データがリンクしている商品に対して所定の確認マークを付与して印刷させることを特徴とするＰＯＳ用プリンタの制御方法。
【請求項９】
コンピュータを、
カメラの撮影準備操作または撮影開始操作を検出する検出部と、
商品販売時に入力された販売データに基づいて当該商品が本人確認の必要な商品であるか否かを判断する判断部と、
前記判断部により本人確認が必要な商品であると判断されると、前記カメラによる本人確認のための証明書の撮影を促す表示を指示する報知指示部と、
前記報知指示部による報知後に、前記検出部が前記撮影開始操作を検出すると、前記カメラに撮影を指示する撮影制御部と、
前記カメラが撮影した前記証明書の画像データを処理して記憶部の第一の記憶領域へ記憶する画像データ処理部と、
前記販売データを処理して前記記憶部の第二の記憶領域へ記憶する販売データ処理部と、
レシートの印刷時に本人確認の必要な商品に対して所定の確認マークを付与して印刷させる印刷制御部として機能させるためのプログラム。
【発明の詳細な説明】
【技術分野】
【０００１】
本発明は、プリンタの記憶部に、販売データを記憶する電子ジャーナルと、当該販売データとリンクし顧客情報の画像データを取得して記憶するＰＯＳ用プリンタ、ＰＯＳ用プリンタの制御方法およびプログラムに関する。
【背景技術】
【０００２】
従来、顧客情報を収集、管理する方法として、商品販売時に、顧客の運転免許証をイメージスキャナによって読み込み、コンピュータへ蓄積して顧客データ化する方法がある。顧客データによって、顧客が新規の客かどうかが販売時に即確認でき、新規顧客の場合には、新たに顧客データへ登録する。また、顧客の購買動向に応じたサービスの付与や、ダイレクトメールの的確な発送ができる（例えば特許文献１）。
【０００３】
【特許文献１】特開平９−６２８２７号公報
【発明の開示】
【発明が解決しようとする課題】
【０００４】
しかし、従来の技術では、イメージスキャナで読み込んだ運転免許証の画像（顧客データ）および販売した商品のデータを、コンピュータに記憶して管理している。コンピュータは、例えばプリンタと比較するとプログラムのコマンド等の仕様が一般的に公開されているため、セキュリティ面で、顧客データの流出などの問題が生じやすい。法で指定されている特定の薬品、農薬や銃器等を購入するときは、本人であることを証明する証明書の提示が必要であり、これらの購入時に提示された証明書を電子化した記録は、特に、より確実なセキュリティ下で管理されなくてはならない。
【０００５】
そこで本発明は、上記課題の解決のために、プリンタ内部のクローズなシステム内において一括して顧客情報の取得および管理を行うことができる、セキュリティ効果のあるＰＯＳ用プリンタ、ＰＯＳ用プリンタの制御方法およびプログラムを提供することを目的とする。
【課題を解決するための手段】
【０００６】
本発明のＰＯＳ用プリンタは、本人確認のできる証明書を撮影するカメラと、カメラが撮影した画像データを処理する画像データ処理部と、商品販売時に入力された販売データを処理する販売データ処理部と、データを記憶する記憶部とを備え、画像データ処理部が撮影された画像データを記憶部の第一の記憶領域へ記憶し、販売データ処理部が入力された販売データを記憶部の第二の記憶領域へ記憶することを特徴とする。
【０００７】
このＰＯＳ用プリンタによれば、証明書を撮影するカメラを備えていて、証明書を撮影した画像データを画像データ処理部で処理する。また、販売した商品の販売データを販売データ処理部で処理する。画像データと販売データとは、記憶部の第一の記憶領域と第二の記憶領域とへ、それぞれ記憶される。ＰＯＳ用プリンタは、これら証明書の撮影、撮影した画像データの処理および記憶、販売した商品の販売データの処理および記憶を、ＰＯＳ用プリンタ内で一括して行える。ＰＯＳ用プリンタをＰＯＳ端末へ接続するだけで、他の装置との接続を個別にすることなく、ＰＯＳ用プリンタ内でデータの処理が行える。このように、ＰＯＳ用プリンタのクローズなシステムの中で独自のデータ管理が行えるため、セキュリティの面からも好ましい。また、プリンタはコマンド等の仕様が独自、かつ非公開にすることが可能であるため、さらにセキュリティを高めることができる。
【０００８】
この場合、画像データと販売データとは、関連するそれぞれを同一コードを割り当ててリンクさせた状態で記憶部に記憶されることが好ましい。
【０００９】
この構成によれば、ＰＯＳ用プリンタの記憶部へ記憶されている画像データと販売データとを、関連付けてリンクさせて記憶している。そのため、証明書を必要とする商品に対して、過去に購入した顧客の確認が迅速に行える。また、返品時に、購入した顧客であるかどうかも容易に確認できる。
【００１０】
また、カメラの撮影準備操作または撮影開始操作を検出する検出部と、入力された販売データに基づいて当該商品が本人確認の必要な商品であるか否かを判断する判断部と、判断部により本人確認が必要な商品であると判断されると、カメラによる証明書の撮影を促す表示を指示する報知指示部と、報知指示部による報知後に、検出部が撮影開始操作を検出すると、カメラに撮影を指示する撮影制御部とを有することが好ましい。
【００１１】
この構成によれば、劇薬、農薬や銃器などのように、主に法的面から販売時に購入者記録を残さなくてはならない商品の販売時にのみ、或いは店舗で特定の商品に購入者記録を残したい場合に、購入した顧客の本人確認と記録保管のために証明書を撮影する。購入者記録を残さなくてはならない商品か否かは、入力された販売データから判断部が判断する。判断部の判断に基づき必要最小限の証明書の撮影を行うため、全ての場合に証明書の記憶をする必要がなく、ＰＯＳ用プリンタの記憶部の容量が小さくできる。
【００１２】
そして、印刷機構をさらに備え、レシート印刷時に画像データがリンクしている商品に対して所定の確認マークを付与して印刷させる印刷制御部を備えたことが好ましい。
【００１３】
この構成によれば、販売商品の入力が終了してレシートの印刷を行う際に、証明書を撮影して販売した商品が判別できるように、該当商品へ確認マークを付与して印刷することができる。レシートに印刷された購入商品の一覧の中から、購入者（証明書）記録を残してある商品が容易に特定できる。店舗で、返品時の確認などに有効である。
【００１４】
さらに、カメラが、証明書に付されたバーコードを認識できるバーコードリーダであることが好ましい。
【００１５】
この構成によれば、ＰＯＳ用プリンタに、証明書のバーコードを認識できるバーコードリーダがカメラの役割を兼ね備えて接続されている。このバーコードリーダは、例えばＣＣＤ（Charge  Coupled  Device）等が搭載されていて、カメラと同じように証明書を撮影できるタイプのものである。従って、このタイプのバーコードリーダを備えれば、別途にカメラを設置することなく証明書を画像データとして取り込める。
【００１６】
本発明のＰＯＳ用プリンタ制御方法は、本人確認のできる証明書をカメラで撮影するステップと、カメラの画像データを画像データ処理部によって処理するステップと、商品販売時に入力された販売データを販売データ処理部によって処理するステップと、画像データおよび販売データとを記憶部へ記憶するために、画像データ処理部が撮影された画像データを記憶部の第一の記憶領域へ記憶し、販売データ処理部が入力された販売データを記憶部の第二の記憶領域へ記憶するステップとを有し、関連する画像データと販売データとをリンクさせて記憶することを特徴とする。
【００１７】
このＰＯＳ用プリンタの制御方法によれば、証明書をカメラで撮影して、撮影した画像データを画像データ処理部で処理する。また、販売した商品の販売データを販売データ処理部で処理する。画像データと販売データとは、記憶部の第一の記憶領域と第二の記憶領域とへ、それぞれ記憶される。ＰＯＳ用プリンタは、これら証明書の撮影、撮影した画像データの処理および記憶、販売した商品の販売データの処理および記憶のそれぞれのステップが、ＰＯＳ用プリンタ内で一括して行える。これら画像データと販売データとは、同一コードを割り当ててあるなどで関連付けがなされており、購入した顧客の確認が迅速に行える。また、返品時に、購入した顧客であるかどうかも容易に確認できる。このように、ＰＯＳ用プリンタをＰＯＳ端末へ接続するだけで、他の装置との接続を個別にすることなく、ＰＯＳ用プリンタでデータの処理が行える制御方法である。また、仕様が非公開で独自コマンドからなり、かつＰＯＳ用プリンタのクローズなシステムの中で独自のデータ管理が行える制御方法のため、セキュリティの面からも好ましい。
【００１８】
この場合、撮影するステップは、カメラの撮影準備操作または撮影開始操作を検出部によって検出するステップと、入力された販売データに基づいて当該商品が本人確認の必要な商品であるか否かを判断部によって判断するステップと、判断部により本人確認が必要な商品であると判断されると、カメラによる証明書の撮影を促す表示を報知指示部によって指示するステップと、報知指示部による報知後に、検出部が撮影開始操作を検出すると、カメラに撮影の実施を撮影制御部によって指示するステップとを有することが好ましい。
【００１９】
この構成によれば、劇薬、農薬や銃器などのように、主に法的面から販売時に購入者記録を残さなくてはならない商品の販売時にのみ、或いは店舗で特定の商品に購入者記録を残したい場合、購入した顧客の本人確認と記録保管のために証明書を撮影する。購入者記録を残さなくてはならない商品か否かは、入力された販売データから判断部が判断する。判断部の判断に基づき必要最小限の証明書の撮影を行うため、全ての場合に証明書の記憶をする必要がなく、ＰＯＳ用プリンタの記憶部の容量が小さくできる制御方法である。
【００２０】
この場合、印刷機構によって印刷する印刷ステップをさらに有し、印刷ステップでは、レシートの印刷時に画像データがリンクしている商品に対して所定の確認マークを付与して印刷させることが好ましい。
【００２１】
この構成によれば、販売商品の入力が終了してレシートの印刷を行うステップにおいて、証明書を撮影して販売した商品が判別できるように、該当商品へ確認マークを付与して印刷することができる。印刷された購入商品の一覧の中から、購入者（証明書）記録を残してある商品が容易に特定できる。店舗で、返品時の確認などに有効である。
【００２２】
本発明のプログラムは、コンピュータを、カメラの撮影準備操作または撮影開始操作を検出する検出部と、商品販売時に入力された販売データに基づいて当該商品が本人確認の必要な商品であるか否かを判断する判断部と、判断部により本人確認が必要な商品であると判断されると、カメラによる本人確認のための証明書の撮影を促す表示を指示する報知指示部と、報知指示部による報知後に、検出部が撮影開始操作を検出すると、カメラに撮影を指示する撮影制御部と、カメラが撮影した証明書の画像データを処理して記憶部の第一の記憶領域へ記憶する画像データ処理部と、販売データを処理して記憶部の第二の記憶領域へ記憶する販売データ処理部と、レシートの印刷時に本人確認の必要な商品に対して所定の確認マークを付与して印刷させる印刷制御部として機能させることを特徴とする。
【００２３】
このプログラムによれば、コンピュータがプログラムを実行することにより、検出部、判断部、報知指示部、撮影制御部、画像データ処理部、販売データ処理部、印刷制御部として機能する。判断部が本人確認が必要と判断した商品を購入した顧客の証明書をカメラで撮影し、その画像データを画像データ処理部で処理する。また、販売した商品の販売データを販売データ処理部で処理する。画像データと販売データとは、関連するものがリンクされて、記憶部の第一の記憶領域と第二の記憶領域へそれぞれ記憶される。さらに、印刷制御部により、レシートの印刷時に本人確認の必要な商品に対して所定の確認マークを付与して印刷が行え、印刷された購入商品の一覧の中で、購入者（証明書）記録を残してある商品が容易に特定できる。プログラムは、証明書の撮影、撮影した画像データの処理および記憶、販売した商品の販売データの処理および記憶、印刷のそれぞれのステップを、一貫してコンピュータに行わせることができる。
【発明を実施するための最良の形態】
【００２４】
以下に図面を参照して、本発明をＰＯＳ用プリンタおよびその制御方法として具体化した実施形態を説明する。
（実施形態１）
【００２５】
図１および図２は、ＰＯＳ端末に接続されて使用されるＰＯＳ用プリンタの斜視図である。図１は、載置蓋を開けた状態を示している。図２は、載置蓋を閉じた状態を示している。ＰＯＳ用プリンタ１は、下部外装２と上部外装３とから構成されている。上部外装３には、上面に、図示していない印刷用のロール紙を上部外装３内へセットするための開閉部４と、印刷されたロール紙が排出されるロール紙排出部５とが配置され、正面には、電源スイッチ６が配置されている。
【００２６】
上部外装３の上面には、さらに、顧客本人を確認するための身分証（証明書）であるＩＤカード７を載置する開閉自在の載置蓋８と、載置蓋８を開けるための載置蓋開ボタン９と、ＩＤカード７を撮影するカメラ部１０と、載置蓋８に一体に形成されている突起１１と、載置蓋８が閉じられた場合に突起１１によって押圧される切替スイッチ１２と、載置蓋８が開きすぎないようにするためのストッパ１３とが配置されている。
【００２７】
図３は、載置蓋を開けた状態のＰＯＳ用プリンタの断面図である。開閉部４に設置されているカメラ部１０は、ＩＤカード７の撮影を実行するときに押す撮影ボタン１０ａと、ＩＤカード７を撮影するカメラ１０ｂとからなる。また、開閉部４は、支持軸１４を中心に開閉する。上部外装３内には、印刷に供されるロール紙１５と、ロール紙１５をロール状に巻いたロール部１６と、ロール部１６から巻きだされたロール紙１５へ印刷を行う印刷ヘッド１７と、印刷ヘッド１７へロール紙１５を押し付けて印刷し、ロール紙１５をロール部１６から印刷ヘッド１７へ搬送するプラテン１８とが収容されている。下部外装２内には、プリンタを制御する制御部１９が収容されている。
【００２８】
これらの構成のＰＯＳ用プリンタ１は、通常、図２に示すように載置蓋８を閉じた状態で使用される。この場合、顧客の購入品の商品名や価格、数量等がロール紙１５に印刷されてロール紙排出部５から排出される。排出されたロール紙１５は、切断されてレシートとして顧客へ渡される。切断方法は、ロール紙排出部５へ設けられている図示しないカッター刃を利用して、手で切断する。あるいは、切断装置が装着されていれば、カッター刃が自動的に動いてロール紙１５を切断する。ロール紙１５の補充あるいは印刷ヘッド１７の保守を行う際は、載置蓋開ボタン９の反対側面に配置されている図示しないボタンを押し、開閉部４を開けて、補充あるいは点検を行う。
【００２９】
法で指定されている特定の薬品、農薬や銃器等を購入する顧客、或いは店舗で設定した特定の商品を購入する顧客に対しては、顧客の本人確認ができるＩＤカード７等を身分証として提示してもらう。身分証としては、顔写真が付いているＩＤカード（Identity  Card）７、クレジットカード、運転免許証が望ましい。むろん本人確認ができれば、これら以外の保険証、パスポート等を身分証として使用できる。ここでは、身分証としてＩＤカード７を例に説明している。
【００３０】
操作者は、本人確認が必要な特定の薬品等を販売する場合、最初に、顧客からＩＤカード７を受け取り、本人であることを確認する。次に、載置蓋開ボタン９を押して、載置蓋８を開く。載置蓋開ボタン９でなく、載置蓋８に手掛かり部を設けて、手で開けるようにしても良い。載置蓋８が開かれると、切替スイッチ１２を押圧していた突起１１が、切替スイッチ１２から離反する。切替スイッチ１２は、突起１１によって押されているときは、カメラ部１０の機能を停止させ、突起１１の押圧から開放されると、制御部１９はカメラ部１０を撮影可能な撮影モードに切り替える。切り替えスイッチ１２は、メカニカルなスイッチとして説明しているが、フォトセンサを用いたスイッチ等でも良い。
【００３１】
突起１１が、切替スイッチ１２から離反して、制御部１９によりカメラ部１０が撮影モードに切り替わったところで、載置蓋８へ顧客のＩＤカード７をセットする。載置蓋８は、ストッパ１３が開閉部４に当接して位置決めとなり、常にカメラ部１０のカメラ１０ｂに対して一定の距離および角度を保てる。従って、カメラ１０ｂは、載置蓋８にセットされるＩＤカード７に焦点を合わせた固定焦点式レンズを有するシンプルな構成である。さらに、ＰＯＳ用プリンタ１は、ＰＯＳ端末に接続して使用するため、金品授受など顧客が精算を行う場所で使用されるため適度な照明が施されており、設置場所の明るさが撮影時点毎に極端に異なることはない。つまり、カメラ１０ｂは、焦点の調整および光量の調整が不要であり、撮影ボタン１０ａを押すだけで、ＩＤカード７の撮影ができる。また載置蓋８上にＩＤカード７が設置されたことを検出する、不図示のメカニカルスイッチやフォトセンサなどの検出器を設けることもできる。
【００３２】
また、カメラ部１０は、固定焦点式レンズを通して、ＩＤカード７をデジタルの画像データとして取り込むために、カメラ１０ｂにＣＣＤ（Charge  Coupled  Device個体撮像素子）を有する。ＣＣＤによって取り込まれた画像データは、ＰＯＳ用プリンタ１の制御部１９へ記憶される。このように、ＩＤカード７の撮影、撮影したＩＤカード７の画像データ化処理および画像データの記憶がＰＯＳ用プリンタ１内の機能ですべて行える。
【００３３】
ＰＯＳ用プリンタ１の印刷機構は、図３に示すように、ロール部１６、印刷ヘッド１７およびプラテン１８で構成されている。ロール部１６から巻き出されたロール紙１５は、印刷ヘッド１７とプラテン１８との間を通り、ロール紙排出部５まで延在している。プラテン１８は、印刷ヘッド１７にロール紙１５を押し付けるように位置している。ロール紙１５は、熱に反応して黒く発色する白色の感熱紙である。印刷ヘッド１７は、ロール紙１５と接する表面が部分的に発熱するサーマル方式のヘッドである。
【００３４】
ＰＯＳ端末からの印刷指示を受けると、図示しないモータの駆動によりプラテン１８が回転してロール紙１５をロール部１６から搬送し、印刷ヘッド１７へ供給する。印刷ヘッド１７は、プラテン１８の回転により搬送されるロール紙１５の速度に合わせて、部分的に発熱を繰り返す。ロール紙１５は、印刷ヘッド１７が発熱した部分に接する面が黒く発色し、文字等の印刷が行える。
【００３５】
印刷されたロール紙１５は、さらにロール紙排出部５へ搬送される。そして、ロール紙排出部５で切断されて、ＰＯＳ用プリンタ１から排出される。排出されたロール紙１５は、既述したようにレシートとして顧客へ渡される。また、ＰＯＳ用プリンタ１は、顧客に渡されたレシートと同じ内容のものを、販売した商品の販売データとして記憶する。記憶されている販売データは、電子ジャーナルと呼ばれる。電子ジャーナルの販売データは、販売データと関連してＩＤカード７を撮影した画像データがあれば、その画像データとリンクして記憶されている。なお、販売データの取り込みは、商品に貼付されているバーコード表示の値段を読み取るバーコードリーダによって行われる。この場合、バーコードリーダは、ＰＯＳ端末に備えられ、ＰＯＳ端末は、ホストコンピュータと接続されている。読み取られたバーコードのデータは、ＰＯＳ端末を経て、ホストコンピュータに送られ、ホストコンピュータが持つデータベース（商品マスター）と照合され、商品コードや商品名、価格等の情報がＰＯＳ端末に送られ、ＰＯＳ端末で情報処理に用いられる。
【００３６】
また、ＩＤカード７を撮影するべき特定の商品の登録や削除、変更は、ホストコンピュータが持つデータベース（商品マスター）に対して行い、この商品の情報と共に、ＰＯＳ端末に送られる。または、これら特定商品の情報を、ＰＯＳ端末の操作により予め、ＰＯＳ端末やＰＯＳ用プリンタ１に記憶しておくこともできる。これにより、ＰＯＳ端末やＰＯＳ用プリンタ１で、購入した商品情報の中に、ＩＤカード７を撮影するべき特定の商品があるかを知ることができる。ここで、特定商品の情報をＰＯＳ用プリンタ１に記憶する際、独自のコマンドを用いて行うため、セキュリティを高めることができる。
【００３７】
また、顧客が購入した商品の中に、ＩＤカード７を撮影した特定の商品が含まれている場合、レシートの印刷時に、該当商品に対して所定の確認マークを付与して印刷する。確認マークは、例えば、商品名に黒丸印をつけて印刷し、特定の商品であることを明示する。このレシートによれば、返品時などに、ＩＤカード７を撮影した特定の商品か簡単に識別することができ、レシートに印刷してあるレシート番号や特定の商品のコード、日時、レジ番号、プリンタ番号等より、リンクしている画像データを読み出すことができ、実際に購入した顧客かどうかの確認が容易にできる。この場合も、ＰＯＳ用プリンタ１の独自のコマンドを用いて行うため、セキュリティを高めることができる。
【００３８】
次に、ＰＯＳ用プリンタ１の制御部１９の構成について、図４を参照して説明する。制御部１９を有するＰＯＳ用プリンタ１は、ホストコンピュータ２０およびＰＯＳ端末２１と接続して販売管理を行うＰＯＳシステムを構成している。
【００３９】
制御部１９は、ＰＯＳ端末２１と接続する入出力インタフェース２２と、販売した販売データを記憶する電子ジャーナル領域（第二の記憶領域）２３および顧客のＩＤカード７の画像データを記憶する画像データ領域（第一の記憶領域）２４を有する記憶部２５とを有する。また、販売した商品が本人確認の必要な商品であるか否かを判断する判断部４５と、ＰＯＳ端末２１からの販売した商品の情報を販売データとして電子ジャーナル領域２３へ書き込みおよび電子ジャーナル領域２３から読み出しするための販売データ処理部２６と、切替スイッチ１２を介してカメラ部１０の撮影ボタン１０ａおよびカメラ１０ｂを制御する画像制御部２７と、カメラ部１０で撮影した画像データを画像データ領域２４へ書き込みおよび画像データ領域２４から読み出し等の処理をするための画像データ処理部２８とを有する。さらに、ロール紙１５へ印刷を行うための印刷ヘッド１７およびプラテン１８と、プラテン駆動用のモータ１８ａとを制御する印刷制御部２９とを有する。
【００４０】
なお、撮影準備操作を検出する切替スイッチ１２および撮影開始操作を検出する撮影ボタン１０ａは、検出部として機能する。画像制御部２７は、判断部４５により本人確認が必要な商品であると判断されると、カメラ１０ｂによる本人確認のための証明書の撮影を促す表示を指示する報知指示部としての機能を有する。加えて、画像制御部２７は、報知指示部による報知後に、検出部が撮影開始操作を検出すると、前記カメラに撮影を指示する撮影制御部としての機能をも有する。
【００４１】
記憶部２５は、フラッシュメモリであり、読み書きが自在で電源が停止されても記憶内容を保持できるメモリである。また、販売データ処理部２６、画像制御部２７、画像データ処理部２８および印刷制御部２９は、ＲＯＭ（Read  Only  Memory）が記憶するプログラムを、ＣＰＵ（Central  Processing  Unit）が実行することにより、それぞれの処理部および制御部としての機能を実現する構成である。
【００４２】
また、記憶部２５は、電子ジャーナル領域２３と画像データ領域２４とを有している。電子ジャーナル領域２３には、電子ジャーナルである販売した販売データが、顧客に渡すレシートに則した内容で記憶されている。電子ジャーナルによる販売データにより販売商品の記録が残り、税務対策や販売動向の把握に有効活用できる。
さらに、予めＰＯＳ端末２１より、ＩＤカード７を撮影するべき特定の商品情報が記憶されており、判断部４５で販売した商品が本人確認の必要な商品であるか否かを判断することができる。また、印刷されるレシートの番号と同一の番号を、電子ジャーナル領域２３に記憶される販売データと、画像データ領域２４に記憶される画像データに付与して記憶する。さらに販売時の、レシートの番号や特定の商品のコード、日時、ＰＯＳ端末番号、プリンタ番号を関連させて記憶する。これらによりＰＯＳ端末２１は、ＰＯＳ用プリンタ１の独自コマンドで、適合する販売データと画像データを取り出すことができる。
【００４３】
記憶部２５の画像データ領域２４は、特定商品の購入顧客のＩＤカード７を、カメラ１０ｂで撮影して画像データとして記憶している。電子ジャーナルと画像データとは、販売データ処理部２６および画像データ処理部２８によって、それぞれの関連するデータがリンクされている。具体的には、販売データ処理部２６が、販売データにリンクされるべき画像データのコードを記憶している。画像データのコードは、画像データの取得時に画像データ処理部２８が、画像データに付与する。このコードは、レシートに印刷するシリアル番号でも良い。また、ＰＯＳ用プリンタ１は、独自のコマンドにより、これらのデータをＰＯＳ端末２１、ホストコンピュータ２０へ転送する機能を備えている。従って、ＰＯＳ端末２１において、特定の商品を購入した顧客を確認したい場合、販売データにリンクしている画像データのＩＤカード７を確認することにより、購入した顧客の特定が、即時に行える。また、商品の返品時にも、その商品を購入した顧客であるかどうかの確認が、容易にできる。
【００４４】
次に、ＰＯＳ用プリンタ１がＩＤカード７等による身分証の画像データを記録する方法について説明する。図５は、撮影の処理および画像を記憶する処理を示すフローチャートである。これらの処理は、ＣＰＵを含むコンピュータがプログラムを実行することによって、検出部（切替スイッチ１２および撮影ボタン１０ａ）、判断部４５、報知指示部（画像制御部２７）、撮影制御部（画像制御部２７）、画像データ処理部２８、販売データ処理部２６、印刷制御部２９としての機能を実現することにより行われる。
【００４５】
最初に、ステップＳ１において、ＰＯＳ端末２１から販売した商品の販売データを受信したかどうかを、販売データ処理部２６が入出力インタフェース２２を介して確認する。受信していなければ（ＮＯの場合）ステップＳ２へ進み、受信していれば（ＹＥＳの場合）ステップＳ４へ進む。販売データは、ＰＯＳ端末２１からＰＯＳ用プリンタ１の入出力インタフェース２２へ、独自コマンドにより送信される。
【００４６】
ステップＳ２では、載置蓋８が閉じているかどうかを、画像制御部２７が判断する。判断は、切替スイッチ１２が載置蓋８の突起１１によって押されているか否かで判断する。載置蓋８が閉じていれば、突起１１が切替スイッチ１２を押す状態となり、載置蓋８が閉じていると判断できる。身分証の確認が必要な販売データが入力された場合以外は、載置蓋８を閉じておくことが望ましい。従って、載置蓋８が閉じられていなければ、ステップＳ３において、載置蓋８を閉じるように画像制御部２７が指示を出す。これは、ＰＯＳ用プリンタ１の入出力インタフェース２２からＰＯＳ端末２１へ、独自コマンドにより送信される。指示の表示は、ＰＯＳ端末２１が表示部２１ａへ表示する。ステップＳ２において、載置蓋８が閉じられていれば、ステップＳ１へ戻る。
【００４７】
ステップＳ１で販売データを受信した場合は、ステップＳ４において、身分証確認が必要な商品であるとの情報を受信したかどうかを、判断部４５が記憶部２５の情報と照合して判断する。身分証確認が必要な商品ではない場合は、ステップＳ１へ戻り、一方身分証確認が必要な商品であればステップＳ５に進む。
【００４８】
ステップＳ５において、画像制御部２７が報知指示部として載置蓋８を開けるように指示する。これは、ＰＯＳ用プリンタ１の入出力インタフェース２２からＰＯＳ端末２１へ、独自コマンドにより送信される。指示の表示はＰＯＳ端末２１が、表示部２１ａへ表示する。
【００４９】
次に、ステップＳ６において、切替スイッチ１２を検出して撮影モードかどうかを画像制御部２７が判断する。切替スイッチ１２が撮影モードではない場合は、ステップＳ５へ戻り、一方撮影モードであることが確認できれば、ステップＳ７へ進む。
【００５０】
ステップＳ７では、カメラ１０ｂで身分証の認識ができたかどうかを確認する。確認は、画像制御部２７が撮影制御部として行う。ステップＳ７で画像の認識ができれば、ステップＳ９へ進み、一方載置蓋８へＩＤカード７等が載置されておらずに画像の認識ができなければ、ステップＳ８へ進む。これは、載置蓋８上にＩＤカード７が設置されたことを検出する、不図示のメカニカルスイッチやフォトセンサなどの検出器により判断しても良い。また、カメラ１０ｂで撮影してみて、ＩＤカード７がない場合は、載置蓋８の表面を撮影するため、ほとんど変化のない画像データとなり、画像データ処理部２８でＩＤカード７がないと判断することもできる。
【００５１】
ステップＳ８では、身分証をセットするように画像制御部２７が報知指示部として指示する。これは、ＰＯＳ用プリンタ１の入出力インタフェース２２からＰＯＳ端末２１へ、独自コマンドにより送信される。指示の表示は、ＰＯＳ端末２１が表示部２１ａへ表示し、ステップＳ７へ戻る。
ステップＳ９では、撮影ボタン１０ａが押されて、身分証の撮影が行われたかどうかを画像制御部２７によって確認する。撮影が行われない場合は、ステップＳ１０に進み、一方撮影が行われた場合は、ステップＳ１１へ進む。
【００５２】
ステップＳ１０では、画像制御部２７が撮影制御部として撮影を実行するように、ＰＯＳ用プリンタ１の入出力インタフェース２２からＰＯＳ端末２１へ、独自コマンドにより送信し、ＰＯＳ端末２１は表示部２１ａへ表示を行い、ステップＳ９へ戻る。
【００５３】
ステップＳ１１では、画像制御部２７が撮影した身分証の画像を、ＰＯＳ用プリンタ１の入出力インタフェース２２からＰＯＳ端末２１へ、独自コマンドにより送信し、ＰＯＳ端末２１が表示部２１ａへ表示する。
【００５４】
次いで、ステップＳ１２において、画像が使用できるレベルかどうかの確認を要求するメッセージを、画像と一緒に画像制御部２７が、ＰＯＳ用プリンタ１の入出力インタフェース２２からＰＯＳ端末２１へ、独自コマンドにより送信し、ＰＯＳ端末２１が表示部２１ａへ表示する。
【００５５】
そして、ステップＳ１３において、メッセージに応じてＰＯＳ端末２１が確認結果を送信したかどうかを確認する。ＰＯＳ用プリンタ１が受信していなければステップＳ１２へ戻り、一方確認結果を受信すると、ステップＳ１４へ進む。確認結果は、ＰＯＳ端末２１から操作者の入力によって送られる。これは、ＰＯＳ端末２１からＰＯＳ用プリンタ１の入出力インタフェース２２へ、独自コマンドにより送信される。
【００５６】
次に、ステップＳ１４において、受信した確認結果によって画像が使用可であるかどうかを判断する。判断は、ステップＳ１３での受信した確認結果に基づく。画像が使用可でなければ、ステップＳ１５に進み、一方画像が使用可であれば、ステップＳ１６へ進む。
ステップＳ１５では、身分証を再度セットするように、画像制御部２７が報知指示部として、ＰＯＳ用プリンタ１の入出力インタフェース２２からＰＯＳ端末２１へ、独自コマンドにより送信される。ＰＯＳ端末２１は表示部２１ａへ表示を行い、ステップＳ７へ戻る。
【００５７】
ステップＳ１６においては、画像データ処理部２８によって、画像を記憶部２５の画像データ領域２４へ記憶する。以上が、画像データの取得および記録の方法である。
【００５８】
次に、ＰＯＳ用プリンタ１におけるレシート印刷および電子ジャーナルの作成処理について、図６を参照して説明する。まず、ステップＳ２１において、印刷制御部２９が、ＰＯＳ端末２１からのレシート印刷命令を、入出力インタフェース２２を介して受信する。次に、ステップＳ２２において、印刷制御部２９によって、身分証を撮影した商品へ確認マークの印刷を設定する。マークの印刷データは予め、ＰＯＳ端末からＰＯＳ用プリンタ１の入出力インタフェース２２へ、独自コマンドにより送信され、記憶部２５に記憶される。
【００５９】
レシート印刷を行う販売データの中に、身分証を撮影した画像データがリンクされている商品があれば、その商品へ確認マークを付与する設定を行う。画像データがリンクされている商品かどうかは、販売データ処理部２６から印刷制御部２９へ通知される。この場合、確認マークは、商品名の前に黒丸印を付与する。確認マークの付与により、ＩＤカード７等の身分証で本人確認が必要な特定の商品であることが明確となる。
【００６０】
次に、ステップＳ２３において、レシート印刷を実行する。レシート印刷は、印刷制御部２９が、印刷ヘッド１７およびプラテン１８を制御して、ロール紙１５へ行われる。このとき確認マークの設定がなされていれば、該当商品の印刷箇所と対応する箇所に確認マークを印刷する。印刷されたロール紙１５は、切断されて、レシートとして顧客へ渡される。レシートの番号や特定の商品のコード、日時、ＰＯＳ端末番号、プリンタ番号なども印刷される。
【００６１】
次に、ステップＳ２４において、レシート印刷に準じた内容の販売データを、記憶部２５の電子ジャーナル領域２３へ記憶する。電子ジャーナル領域２３への記憶は、販売データ処理部２６が行う。このとき、電子ジャーナル領域２３の販売データが画像データ領域２４のどの画像とリンクしているかを、販売データ処理部２６および画像データ処理部２８が認識している。従って、販売データを紙ジャーナルとしてロール紙１５へ印刷する際に、リンクするＩＤカード７の画像データも同時に印刷可能である。
【００６２】
以下、実施形態１のＰＯＳ用プリンタ１の効果を記載する。
【００６３】
（１）ＰＯＳ用プリンタ１は、カメラ、データ処理機能、データ記憶機能、印刷機能を備え、顧客のＩＤカード７の撮影、撮影したＩＤカード７の画像データの処理および記憶、販売した商品の販売データの処理および記憶、さらにレシートの印刷を、ＰＯＳ用プリンタ１内で一括して行える。ＰＯＳ用プリンタ１を入力用のＰＯＳ端末２１へ接続するだけで、他の装置との接続を個別にすることなく、データの取得、記憶が行える。
【００６４】
（２）データの取得および管理が、仕様がオープンでないＰＯＳ用プリンタ１のクローズなシステムの中で行える。これらのデータは、ＰＯＳ用プリンタ１から独自のコマンドによってＰＯＳ端末２１等へ転送されるため、セキュリティの面でデータ流出等の恐れを低減できる。
【００６５】
（３）本人確認のためにＩＤカード７を撮影した販売データに対して、該当するＩＤカード７の画像データがリンクしており、購入した顧客の確認が迅速に行える。また、返品時に、購入した顧客であるかどうかも容易に確認できる。
【００６６】
（４）ＩＤカード７をセットする載置蓋８は開閉式であり、使用しない間は、コンパクトに閉じておける。
【００６７】
（５）レシートの印刷を行う際に、ＩＤカード７を撮影して販売した商品が判別できるように、該当商品へ確認マークの黒丸印を付与して印刷する。これにより、レシートに印刷された購入商品の一覧の中で、購入顧客のＩＤカード７の記録を残してある商品が容易に特定できる。
【００６８】
（６）電子ジャーナル領域２３の販売データと、顧客のＩＤカード７の画像データとをＰＯＳ用プリンタ１に記憶しており、販売データおよび画像データを紙ジャーナルとしてロール紙１５へ印刷して保存できる。この紙ジャーナルの印刷がＰＯＳ用プリンタ１だけで実行できる。
【００６９】
（７）ホストコンピュータ２０やＰＯＳ端末２１が、ＩＤカード７を撮影した画像データをＰＯＳ用プリンタ１から取り出して整理すれば、顧客のデータベースとして活用できる。
【００７０】
（８）カメラ１０ｂは、固定焦点式のレンズを備えていて、焦点合わせのミス発生がない。また、構造もシンプルであり、製造および保守管理のコスト低減が図れる。
【００７１】
（９）ＰＯＳ端末２１の操作者が作業開始時に、操作者番号や日時の入力と共に、操作者のＩＤカード７を撮影しておけば、担当操作者が明確になり不正等の防止が図れる。
（実施形態２）
【００７２】
次に、ＩＤカード７等の身分証を画像として読み取るために、ハンディスキャナ（バーコードリーダ）を備えたＰＯＳ用プリンタについて説明する。図７は、ハンディスキャナを不図示の電源線を含むインタフェース部を介してＰＯＳ用プリンタに接続した斜視図である。実施形態１のＰＯＳ用プリンタ１との相違点は、カメラ部１０がハンディスキャナ３１に置き替わって接続されている点と、載置蓋８、突起１１、切替スイッチ１２が不要となり、それらが配置されていた開閉部４の部分が窓部３３に置き変わっている点である。ハンディスキャナ３１は、ＣＣＤを搭載しており、ハンディスキャナ３１に備えられている撮影ボタン３２を押して、ＩＤカード７を撮影する。その他は、ＰＯＳ用プリンタ１の仕様と同様である。
【００７３】
ハンディスキャナ３１は、ＩＤカード７の撮影時以外、実施形態１におけるＰＯＳ端末２１に備えられているバーコードリーダとして活用できる。ＰＯＳ用プリンタ３０は、ハンディスキャナ３１による入力機能、販売データ処理部２６および画像データ処理部２８によるデータ処理機能、記憶部２５による記憶機能、印刷制御部２９による出力機能を備える多機能なプリンタである。
【００７４】
身分証による本人確認が必要な商品を販売する場合、ＰＯＳ端末２１は、身分証としてＩＤカード７の撮影が必要と判断して、表示部２１ａへ撮影実行の指示を表示する。ＩＤカード７の撮影が必要との判断は、ＰＯＳ端末２１から送られる販売データを基に、判断部４５が判断する。このとき、ハンディスキャナ３１は、撮影ボタン３２によるＩＤカード７の撮影モードになっている。この表示部の指示に基づき、顧客から提示されたＩＤカード７をハンディスキャナ３１で読み取る。ハンディスキャナ３１で読み取る際、ＰＯＳ端末２１の表示部に表示されるＩＤカード７の画像を確認して、撮影ボタン３２を押す。撮影ボタン３２を押して取り込んだ画像は、実施形態１で説明したカメラ１０ｂで撮影した画像と同様に、画像データ領域２４へ記憶される。
【００７５】
以下、実施形態２のＰＯＳ用プリンタ３０の効果を記載する。
【００７６】
（１）ＰＯＳ端末２１のバーコードリーダに替えて、ＰＯＳ用プリンタ１へＣＣＤを備えたハンディスキャナ３１を備えることにより、商品のバーコードの読み取りとＩＤカード７の撮影がハンディスキャナ３１だけで可能となる。従って、実施形態１のようなカメラ部１０が不要である。
【００７７】
（２）入力機能、データ処理機能、出力機能を備えたＰＯＳ用プリンタ１であるため、各機能毎に別々の装置を接続する場合のように、それぞれの制御ドライバを組み込んで個々に設定する手間が不要である。
【００７８】
（３）さらに、各機能の装置を個別に接続する場合のような配線も不要である。配線接続の間違いによるトラブルが防げる。
【００７９】
また、本発明は上記の実施形態に限定されるものではなく、次のような変形例が挙げられる。
【００８０】
（変形例１）販売に際して、顧客のＩＤカード７を撮影する対象は、法的に本人確認が必要な特定の商品に対してだけでなく、チケット、商品券等の金券の販売にも適用できる。金券の返品時などに購入顧客かどうかの確認が容易にできる。
【００８１】
（変形例２）カメラ１０ｂおよびハンディスキャナ３１は、ＣＭＯＳ（Complementary  Metal-Oxide  Semiconductor）を備えたカメラであっても良い。ＣＣＤと同様に画像の取得が行える。
【００８２】
（変形例３）載置蓋８は開閉式でなく固定構造であっても良い。銃器店などのように、ほとんどの商品において顧客のＩＤカード７を撮影する必要がある店舗では、固定構造の方が有効である。
【００８３】
（変形例４）ステップＳ２２において、確認マークの印刷は、黒丸だけでなく、アンダーライン、囲み枠、ウオーターマーク等であっても良い。
【００８４】
（変形例５）確認マークを印刷する商品は、他の商品のレシートとは別にして、専用の書式で単独レシートとする設定でも良い。他の商品との区別が、より明確になる。
【００８５】
（変形例６）ステップＳ２４において、電子ジャーナル領域２３への記憶は、ステップＳ２３のレシート印刷より早い時点で行っても良い。
【００８６】
（変形例７）ＰＯＳ用プリンタ１は、サーマル方式に限らず、インクジェット方式や熱転写方式、レーザー方式などのプリンタでも良い。
【図面の簡単な説明】
【００８７】
【図１】実施形態１において載置蓋を開けた状態のＰＯＳ用プリンタの斜視図。
【図２】載置蓋を閉じた状態のＰＯＳ用プリンタの斜視図。
【図３】載置蓋を開けた状態のＰＯＳ用プリンタの断面図。
【図４】ＰＯＳ用プリンタの構成を示すブロック図。
【図５】撮影の処理および画像を記憶する処理を示すフローチャート。
【図６】印刷および電子ジャーナルの作成処理を示すフローチャート。
【図７】実施形態２のＰＯＳ用プリンタの断面図。
【符号の説明】
【００８８】
１…ＰＯＳ用プリンタ、７…証明書としてのＩＤカード、８…載置蓋、１０…カメラ部、１０ａ…撮影ボタン、１０ｂ…カメラ、１１…突起、１２…切替スイッチ、１５…ロール紙、１７…印刷ヘッド、１９…制御部、２０…ホストコンピュータ、２１…ＰＯＳ端末、２３…第二の記憶領域としての電子ジャーナル領域、２４…第一の記憶領域としての画像データ領域、２５…記憶部、２７…画像制御部、２８…画像データ処理部、２９…印刷制御部、３１…カメラおよびバーコードリーダとしてのハンディスキャナ。
【図１】
2006048466.tif 000003
【図２】
2006048466.tif 000004
【図３】
2006048466.tif 000005
【図４】
2006048466.tif 000006
【図５】
2006048466.tif 000007
【図６】
2006048466.tif 000008
【図７】
2006048466.tif 000009